(57)【要約】  【課題】  開錠が困難な鍵装置を提供する。  【解決手段】  この鍵装置１は、第１操作部３０を操作すると、開方向に本体部１０を移動させる駒部１２ａ〜１２ｈと、閉方向に本体部１０を移動させる駒部１３ａ〜１３ｈとを備えている。この鍵装置１では、これら駒部１２ａ〜１２ｈ、１３ａ〜１３ｈを使用者の好みに合わせた、鍵を開ける駒部１２ａ〜１２ｈを選択し、一方鍵を閉める駒部１３ａ〜１３ｈを選択して、各駒部１２ａ〜１２ｈ、１３ａ〜１３ｈを設定する。すると、この鍵装置１では、どの駒部１２ａ〜１２ｈをどの順番で操作すればいいのかわからず、しかも謝って駒部１３ａ〜１３ｈが設定された第１操作部３０を操作してしまうと、かえって鍵が閉じてしまうので、開錠が極めて困難である。【選択図】  図１
2006152777.tif 000002
【特許請求の範囲】
【請求項１】
板面に沿って閉位置と開位置との間を移動可能に設置された本体部（１０）と、
この本体部に設置され、前記本体部の移動方向に沿って並列に配置された複数の軸部（１１）と、
前記各軸部上の軸方向に沿った任意の位置で固定可能な駒部（１２，１３）と、
この駒部に形成され、押下されると、前記駒部を開位置の方向に移動させる開傾斜部（１２０）と、
前記駒部に形成され、押下されると、前記駒部を閉位置の方向に移動させる閉傾斜部（１３０）と、
前記軸部の配列方向に沿って前記軸部ごとに配置された第１操作部（３０）と
を備え、
前記第１操作部は、
前記板面を形成する板部を貫通して設けられ、前記板部の前記板面に対する裏面側から押下操作されると、前記軸部に向かって伸長する押しボタン構造を有し、
以下に述べる位置の間に配置されていることを特徴とする。
（１）前記本体部が最も前記閉位置側に移動したときに前記操作部を押下操作すると、最も前記開位置側に設置された前記駒部の開傾斜部に当接し、さらに押下操作すると、前記操作部が前記開傾斜部上を滑って前記駒部を前記開位置の方向に移動するよう押下操作可能な位置。
（２）前記本体部が最も前記開位置側に移動したときに前記操作部を押下操作すると、最も前記閉位置側に設置された前記駒部の閉傾斜部に当接し、さらに押下操作すると、前記操作部が前記閉傾斜部上を滑って前記駒部を前記閉位置の方向に移動するよう押下操作可能な位置。
【請求項２】
請求項１に記載の鍵装置において、
前記駒部は、
前記開傾斜部が形成された開駒部（１２）と、
前記閉傾斜部が形成された閉駒部（１３）と
を備えていることを特徴とする鍵装置。
【請求項３】
請求項１，２のいずれかに記載の鍵装置で用いられる鍵戻装置であって、
前記本体部に取り付けられた固定片と、
持上片と、
前記板面を形成する板部を貫通する押しボタン構造を有し、前記板部の前記板面に対する裏面側から操作すると前記持上片が前記固定片を押し上げ、前記駒部と前記第１操作部とが接触しない位置以上の高さに前記本体部を持上げ可能な第２操作部と、
前記固定片あるいは前記持上片に少なくとも設けられ、前記持上片に対して前記固定片を滑り落とさせることによって、前記持上片に持上げられた前記本体部を前記閉位置まで移動可能な傾斜部と
を備えることを特徴とする鍵戻装置。
【請求項４】
請求項３記載の鍵戻装置において、
前記固定片と前記持上片とは、前記傾斜部に沿って滑る方向に対して略垂直に線接触する構造を有することを特徴とする鍵戻装置。
【請求項５】
請求項４記載の鍵戻装置において、
前記持上片に前記傾斜部が形成され、
前記固定片は、前記傾斜部に接触する部分の形状が、曲面状に形成されていることを特徴とする鍵戻装置。
【発明の詳細な説明】
【技術分野】
【０００１】
本発明は、鍵装置に関する。
【背景技術】
【０００２】
従来より、車両のインパネ部分に設置された収納ボックスや、オーバーヘッドモジュールに設けられた収納ボックスの蓋部には、その車両で使用される鍵で施錠することができる鍵装置が用いられている。しかし、このような鍵装置を用いた車両では、その車両が盗難にあうと、上述した収納ボックスも開けられ、その中に収めることが多い車検証やその他重要な書類も盗難にあってしまうためセキュリティー上問題であった。そのため、例えば、車両の鍵で開閉可能な鍵装置に代えて、ダイヤル錠方式の鍵装置を用いることが考えられている。
【０００３】
尚、従来技術にかかる文献については、上記鍵装置が周知のものであるため、特に示していない。
【発明の開示】
【発明が解決しようとする課題】
【０００４】
しかし、ダイヤル錠方式の鍵装置の場合も、時間はかかるものの各桁を任意に組み合わせればいつかは開いてしまうため、やはりセキュリティー上問題であった。
そこで本発明では、開錠が困難な鍵装置を提供することを目的とする。
【課題を解決するための手段】
【０００５】
上述した問題点を解決するためになされた請求項１記載の鍵装置は、板面に沿って閉位置（本体部１０が留部４０にかかった位置）と開位置（本体部１０が留部４０からはずれた位置）との間を移動可能に設置された本体部（１０）を備えており、この本体部には、本体部の移動方向に沿って並列に配置された軸部（１１）を備えている。そして本発明の鍵装置は、軸部の配列方向に沿って軸部ごとに配置された第１操作部（３０）を備えている。
【０００６】
また本発明の鍵装置は複数の駒部（１２、１３）を備えており、各駒部は、各軸部上の軸方向に沿った任意の位置で固定することができる。そして、各駒部には、押下されると、駒部を開位置の方向に移動させる開傾斜部（１２０）と、駒部を閉位置の方向に移動させる閉傾斜部（１３０）とが形成されている。
【０００７】
さらに、本発明の鍵装置は、各第１操作部が、板面を形成する板部を貫通して設けられ、板部の板面に対する裏面側から操作されると、軸部に向かって伸長する押しボタン構造を有し、以下に述べる位置の間に配置されている。
【０００８】
（１）本体部が最も閉位置側に移動したときに第１操作部を押下操作すると、最も開位置側に設置された駒部の開傾斜部に当接し、さらに押下操作すると、第１操作部が開傾斜部上を滑って駒部を開位置の方向に移動するよう押下操作可能な位置。
【０００９】
（２）本体部が最も開位置側に移動したときに第１操作部を押下操作すると、最も閉位置側に設置された駒部の閉傾斜部に当接し、さらに押下操作すると、第１操作部が閉傾斜部上を滑って駒部を閉位置の方向に移動するよう押下操作可能な位置。
【００１０】
このように構成された鍵装置は、例えば、次のように使用する。
まず鍵を開けるための軸部（以下「開軸部」）と、鍵を閉めるための軸部（以下「閉軸部」）とをユーザーが任意に選択し、各開軸部の駒部を開位置側から閉位置側に向かって段階的に設置する。一方、各閉軸部の駒部も閉位置側から開位置側に向かって段階的に設置する。
【００１１】
するとこの鍵装置では、本体部が閉位置にあるときに最も開位置側に駒部が取り付けられた開軸部に対向する第１操作部を操作すると、第１操作部が駒部の開傾斜部に当接して駒部を押下し駒部を開位置方向に移動するので、これに伴って本体部全体も開位置方向へ移動する。
【００１２】
次に、２番目に開位置に近い側に設置された駒部が取り付けられた開軸部に対向する第１操作部を操作すると、本体部全体がさらに開位置側に移動する。そして、さらに操作を続けると、本体部が開位置に移動して開錠される。
【００１３】
一方、この鍵装置では、本体部が開位置にあるときに、最も閉位置側に駒部が取り付けられた閉軸部に対向する第１操作部を操作すると、第１操作部が駒部の閉傾斜部に当接して駒部を押下し、駒部を閉位置方向に移動するので、これに伴って本体部全体も閉位置方向へ移動する。
【００１４】
次に、２番目に閉位置に近い側に設置された駒部が取り付けられた閉軸部に対向する第１操作部を操作すると、本体部全体がさらに閉位置側に移動する。そして、さらに操作を続けると、本体部が閉位置に移動して施錠される。
【００１５】
以上説明した本発明の鍵装置は、鍵を開閉するための軸部（以下「桁」という）を選択するのはユーザーの自由であり、そのユーザーの定めた桁でのみ鍵が開く。しかも、本発明の鍵装置は、適当に操作してしまうと鍵が閉じてしまうため、ダイヤル式の鍵装置のように、適当に操作するといつか鍵が開くということもない。
【００１６】
従って、本発明のように構成すると、従来の鍵装置に比べ極めて開錠が困難な鍵装置を提供することができる。
また、本発明の鍵装置は、第１操作部が、板部を貫通して固定され、本体部が取り付けられていない板部の裏面側から操作されると、軸部に向かって伸長する押しボタン構造を有している。すなわち、この鍵装置は、本体部を収納ボックス内に設置しても、外側から操作できる構造を有しているので、本体部が勝手にいじられて駒部の組み合わせが変更され開錠されることを確実に防止することができる。
【００１７】
請求項２記載の鍵装置のように、駒部は、２つの駒部、すなわち開傾斜部が形成された開駒部（１２）と、閉傾斜部が形成された閉駒部（１３）とから構成してもよい。
ところで、本発明の鍵装置は、不正な操作者にとっては上述したように開錠が困難な鍵装置ではあるが、正当な使用者には開錠しやすいものであることが望ましい。
【００１８】
そこで請求項３に記載したような鍵戻装置を設置することが望ましい。この鍵戻装置は、具体的には、本体部に取り付けられた固定片と、持上片とを備えている。また鍵戻装置は、鍵装置が取り付けられている板部を貫通して設けられた押しボタン構造を有する第２操作部を備えており、この第２操作部は、鍵装置が取り付けられた側である板部の板面に対する裏面側から操作すると持上片が固定片を押し上げ、駒部と第１操作部とが接触しない位置以上の高さに本体部を持上げ可能に構成されている。さらに、この鍵戻装置は、固定片あるいは持上片に、持上片に対して固定片を滑り落とさせることによって、持上片に持上げられた本体部を閉位置まで移動可能な傾斜部が少なくとも設けられている。
【００１９】
この鍵戻装置によれば、第２操作部を操作し持上片が固定片を持上げると、鍵装置の駒部と第１操作部とが接触しない位置以上の高さに鍵装置の本体部が持ち上がる。すると、この鍵戻装置には、固定片または持上片に傾斜部が形成されているので、固定片が持上片に対して滑り、本体部が閉位置まで一度に移動する。
【００２０】
従って、本発明の鍵戻装置を用いると、鍵装置の操作を間違ってもすぐやり直すことができ、正しく操作すれば簡単に開錠できる。
ところで、本発明の鍵装置は、固定片と持上片とが、傾斜部に沿って滑る方向に対して略垂直に線接触する構造を有することが好ましい。もちろん、固定片と持上片とに対向する傾斜面を形成してそれらを面接触させ固定片が持上片に形成された傾斜面を滑るように形成してもよいが、線接触する構造であれば抵抗が少ないので、固定片が持上片上をスムーズに滑らせて、押しボタンを操作してから本体部１０が閉位置に移動するまでのレスポンス時間を短くすることができる。そして、この線接触する構造としては、請求項５に記載したように、持上片に傾斜部を形成し、この傾斜部に接触する部分の固定片の形状を曲面状に形成することが望ましい。
【００２１】
なお、この欄において、発明に対する理解を容易にするため、必要に応じて「発明を実施するための最良の形態」欄で用いた符号を付したが、この符号によって請求の範囲を限定することを意味するものではない。
【発明を実施するための最良の形態】
【００２２】
以下、本発明が適用された実施形態について図面を参照しながら説明する。
[第１実施形態]
図１は車両のインパネの収納ボックスの蓋部に取り付けられた鍵装置の分解斜視図、図２はその鍵装置の斜視図である。図３は、駒部１２及び駒部１３の側面模式図、図４は本実施形態の第１操作部の模式図、図５は収納ボックスの一部切取図である。図６及び図７は、本実施形態の鍵装置の正面模式図で、駒部の配置と本実施形態の鍵装置の動きを説明するための説明図である。
【００２３】
本実施形態の鍵装置１は、図１に示すように、車両の助手席側のインパネ部分に設けられた収納ボックスの開口部ａを閉じる蓋部５（本発明の板部に相等する）であって、この蓋部５の内側（収納ボックスの収納スペース側）の面上に設置されている。蓋部５は、収納ボックスの開口部分ａを閉じる大きさに形成され、インパネ内に設けられた軸部５０に下端が軸支されている。この蓋部５は、軸部５０を中心に回転させることによって、収納ボックスの開口部分ａを開閉することができる。
【００２４】
本実施形態の鍵装置１は、本体部１０、レール部２０、第１操作部３０と、留部４０を備えている。
本体部１０は、４辺を囲った箱型に形成され、そのうちの対向する一方の２辺は、下端がＬ字状に外側に向けて折り曲げられた形状に形成されている。対向する他方の２辺は、一方の２辺よりも幅が狭い板片で形成され、上端が一方の２辺の上端と同じ高さとなるよう一方の２辺と組み合わされている。そのため、この本体部１０は、図２に示すように、一方の２辺の折り曲げた部分を接地させて蓋部５上に置くと、他方の２辺の下方部分に空間ｂが形成される。
【００２５】
また、この本体部１０の各辺の内側には複数の軸部１１ａ〜１１ｈが設置され、具体的には、これら軸部１１ａ〜１１ｈは、Ｌ字状に折り曲げられた一方の２辺に対してそれぞれ垂直に取り付けられ、その一方の２辺の上端側の縁部に沿って等間隔に取り付けられている。
【００２６】
さらに、各軸部１１ａ〜１１ｈには、１対ずつ駒部１２ａ〜１２ｈ、１３ａ〜１３ｈが取り付けられている。この各駒部１２ａ〜１２ｈ、１３ａ〜１３ｈは、軸方向の任意の位置で固定することができる。
【００２７】
レール部２０は、収納ボックスの蓋部５の内側の面上に固定されている。このレール部２０は４片からなっていて、図２に示すように、収納ボックスの蓋部５の内側に本体部１０が置かれたときに、本体部１０の他方の２辺に外側から当接して、本体部１０の一方の２辺のうちの１片１０ａ（以下「鍵片１０ａ」という）が留部４０に引っ掛かる閉位置から、留部４０との係合が解かれる開位置まで本体部１０を案内する。尚、軸部１１ａ〜１１ｈは、図１に示すように、本体部１０がこのレール部２０に案内されて移動する移動方向に沿って並列に配置される。
【００２８】
また、このレール部２０を構成する４つの辺状部２０ａ〜２０ｄの内側には、図１に示すように、本体部１０を蓋部５上に置いたとき、空間ｂの部分に配置され、本体部１０の他方の２辺の下部縁部に当接して、本体部１０を閉位置にスライドさせたときに、開位置側の一方の片に当接し、本体部１０を開位置にスライドさせたときに、閉位置側の一方の片（鍵片１０ａ）に当接して、本体部１０のスライドを留めるストッパー２１ａ〜２１ｄ（２１ｄは図示していない）が設置されている。またこのレール部２０は、軸部５０に対し垂直となる位置に配置されている。
【００２９】
第１操作部３０は、複数の押しボタンスイッチ３０ａ〜３０ｈを備えており、この押しボタンスイッチ３０ａ〜３０ｈは、本体部１０に対向する位置に蓋部５を貫通して設けられ、軸部１１ａ〜１１ｈの配列方向に沿って軸部１１ａ〜１１ｈ毎に配置されている。一方、駒部には、図３に示すように、駒部１２ａ〜１２ｈを開位置の方向に移動させる開傾斜部１２０と、駒部１３ａ〜１３ｈを閉位置の方向に移動させる閉傾斜部１３０とが形成されている。
【００３０】
押しボタンスイッチ３０ａ〜３０ｈは、押下されるとこれら開傾斜部１２０、閉傾斜部１３０に当接し、さらに押下すると、開傾斜部１２０あるいは閉傾斜部１３０上を滑って駒部を開位置の方向あるいは閉位置の方向に移動させる。
【００３１】
また押しボタンスイッチ３０ａ〜３０ｈは、以下に述べる位置の間に配置されている。まず一点は、（１）本体部１０が最も閉位置側に移動したときに、押しボタンスイッチ３０ａ〜３０ｈを押下操作すると、最も開位置側に設置された駒部１２ａ〜１２ｈの開傾斜部１２０に当接し、さらに押下操作すると、押しボタンスイッチ３０ａ〜３０ｈが開傾斜部１２０上を滑って駒部１２ａ〜１２ｈを開位置の方向に移動するよう押下操作可能な位置である。もう１点は、（２）本体部１０が最も開位置側に移動したときに、押しボタンスイッチ３０ａ〜３０ｈを押下操作すると、最も閉位置側に設置された駒部１３ａ〜１３ｈの閉傾斜部に当接し、さらに押下操作すると、押しボタンスイッチ３０ａ〜３０ｈが閉傾斜部１３０上を滑って駒部１３ａ〜１３ｈを閉位置の方向に移動するよう押下操作可能な位置である。
【００３２】
また、押しボタンスイッチ３０ａ〜３０ｈは、図４に示すように、蓋部５を貫通する貫通孔内に摺動可能に配置された作用部３１と、この作用部３１に連結されているとともに蓋部５の外側に配置され、人の指で操作可能な大きさに形成されたボタン部３２と、蓋部５の内側の面上に配置され、ボタン部３２が操作されたとき、作用部３１が外部に突出するよう作用部３１を囲う囲部３３とを備えている。またこの押しボタンスイッチ３０ａ〜ｈは、バネ部３４を備えており、このバネ部３４は、作用部３１をボタン部３２側に弾性力が作用するよう、囲部３３内に設置されている。そして、ボタン部３２には、図５に示すように、１〜８の番号がプリントされている。
【００３３】
留部４０は、収納ボックスの開口部の縁に設けられていて、蓋部５を閉めて本体部１０を蓋部５の縁部に摺動させると、鍵片１０ａを係合可能に形成されている。
次に、以上のように構成された鍵装置１は、例えば、次のように使用する。
【００３４】
まず鍵を開けるための軸部（以下「開軸部」）と、鍵を閉めるための軸部（以下「閉軸部」）とをユーザーが任意に選択し、各開軸部の駒部１２ａ〜１２ｈを開位置側から閉位置側に向かって段階的に設置するとともに、各閉軸部の駒部１３ａ〜１３ｈも閉位置側から開位置側に向かって段階的に設置する。具体的には、ユーザーが開錠コードを３８６５と決めたなら、図６（ａ）に示すように、各開軸部１１ｃ、１１ｅ、１１ｆ、１１ｈの駒部１２ｃ、１２ｅ、１２ｆ、１２ｈを開位置側から閉位置側に向かって段階的に設置する。また、施錠コードを１７４２と決めたなら、各閉軸部１１ａ、１１ｂ、１１ｄ、１１ｇの駒部１３ａ、１３ｂ、１３ｄ、１３ｇを閉位置側から開位置側に向かって段階的に設置する。
【００３５】
するとこの鍵装置１では、本体部１０が閉位置にあるときに最も開位置側に駒部１２ｃが取り付けられた開軸部１１ｃに対向する押しボタンスイッチ３０ｃを操作すると、押しボタンスイッチ３０ｃの作用部３１が駒部１２ｃの開傾斜部１２０に当接して駒部１２ｃを押下し、駒部１２ｃを開位置方向に移動するので、図６（ｂ）に示すとおり、これに伴って本体部１０全体も開位置方向へ移動する。
【００３６】
次に、図６（ｂ）に示すように、２番目に開位置近い側に設置された駒部１２ｈが取り付けられた開軸部１１ｈに対向する押しボタンスイッチ３０ｈを操作すると、本体部１０全体がさらに開位置側に移動する（図７（ａ））。そして、さらに操作を続けると、本体部１０が開位置に移動して開錠される（図７ｄ））。
【００３７】
一方、この鍵装置１では、図７（ｂ）に示すように、本体部１０が開位置にあるときに最も閉位置側に駒部１３ａが取り付けられた閉軸部１１ａに対向する押しボタンスイッチ３０ａを操作すると、押しボタンスイッチ３０ａの作用部３１が駒部１３ａの閉傾斜部１３０に当接して駒部１３ａを押下し駒部１３ａを閉位置方向に移動するので、図７（ａ）に示すように、これに伴って本体部１０全体も閉位置方向へ移動する。
【００３８】
次に、図７（ａ）に示すように、２番目に閉位置近い側に設置された駒部１３ｇが取り付けられた閉軸部１１ｇに対向する押しボタンスイッチ３０ｇを操作すると、図６（ｂ）に示すとおり本体部１０全体がさらに閉位置側に移動する。そして、さらに操作を続けると、本体部１０が閉位置に移動して施錠される（図６（ａ）参照）。
【００３９】
以上説明した本実施形態の鍵装置１は、鍵を開閉するための軸部（以下「桁」という）を選択するのはユーザーの自由であり、そのユーザーの定めた桁でのみ鍵が開く。しかも、本実施形態の鍵装置１は、適当に操作してしまうと鍵が閉じてしまうため、ダイヤル式の鍵装置のように、適当に操作するといつか鍵が開くということもない。
【００４０】
従って、本実施形態のように構成すると、従来の鍵装置に比べ極めて開錠が困難な鍵装置を提供することができる。
また、本実施形態の鍵装置１は、本体部１０を収納ボックス内に設置しても、外側から操作できる構造を有しているので、本体部１０が勝手にいじられて駒部の組み合わせが変更され開錠されることを確実に防止することができる。
[第２実施形態]
次に、本発明の第２実施形態について説明する。尚、以下の説明では、第１実施形態と異なる点のみ説明する。
【００４１】
ここで図８は、本実施形態の鍵装置の平面図で、図９は、本実施形態の鍵装置が備える鍵戻装置が取り付けられた部分の拡大図であって、本体部１０の移動方向に対し垂直で、収納ボックスの蓋部５の板面に水平な方向から見た説明図である。尚、蓋部５については断面図で示している。図１０は、固定片の構造を説明するための説明図で、固定片の側面図である。
【００４２】
本実施形態が第１実施形態と異なる点は、鍵戻装置７を備えている点である。
この鍵戻装置７は、図８に示すように、鍵装置１の本体部１０の移動方向に沿った側面１０ｃの外側近傍に設置されている。そしてこの鍵戻装置７は、図９に示すように、本体部１０の移動方向に沿った側面１０ｃに固定された固定片７０と、第２操作部８とからなる。
【００４３】
この鍵戻装置７の第２操作部８は、押しボタンスイッチからなり、蓋部５を貫通する貫通孔を通して一端が蓋部５の外側、他端が蓋部５の内側に位置するように配置され、貫通孔内をその長さ方向に摺動する軸状に形成された作用部８１と、この作用部８１の一端に連結され、人の指で操作可能な大きさに形成されたボタン部８２と、蓋部５の内側の面上に配置され、作用部８１を囲う囲部８３とを備えている。またこの第２操作部８は、囲部８３内に設置されたバネ部８４を備えており、このバネ部８４は、囲部８３内で伸縮して、作用部８１をボタン部８２側に付勢している。また、作用部８１の他端には、持上片８５が連結されている。
【００４４】
持上片８５は、固定片７０に対向する部分に傾斜面８５ａが形成されており、本体部１０の移動方向に平行で、蓋部５に垂直な平面に沿った断面（以下「形状特定断面」）で見たとき、直角三角形状に形成されている。具体的には、本体部１０の移動方向に垂直な辺と平行な辺を２辺とし、それらの辺をさらに結ぶ辺部分が傾斜面８５ａを形成している。
【００４５】
一方、固定片７０も形状特定断面の断面形状が略三角形状に形成されているが、傾斜面８５ａに対向する部分の面７０ａが、傾斜面８５ａに向かって凸な断面曲線状に形成された曲面を形成している。この曲面７０ａを形成する部分の断面は、図９に示すように、持上片８５の閉位置側の先端の角度がβであるとき、形状特定断面上に円を描き、その円の中心から見て移動方向（開位置に向かう方向）に対し−α（９０−β）度斜め下方の点から移動方向に対し−９０の点に至る部分までの形状に形成されている。
【００４６】
そして第２操作部８は、本体部１０が閉位置と開位置の間のどの位置にあっても、ボタン部８２を押すと、持上片８５が固定片７０を押し上げ可能な位置に配置されている。つまり本実施形態では、第１実施形態で説明したように４桁の暗証番号を設定し、４桁のいずれかの開軸部１１に取り付けられた駒部１２が第１操作部３０で操作可能な位置に配置されても、図９の点線で示したように、固定片７０は持上片８５で持上げることができる。
【００４７】
また、第２操作部８は、固定片７０をどの位置で持上げても、駒部１２と第１操作部３０とが接触しない位置以上の高さに本体部１０を持上げることができるよう構成されている。そして、持上片８５の傾斜面８５ａは、その持上げられた固定片７０が滑り落ち、本体部１０を閉位置まで導くことができるよう形成されている。
【００４８】
従って、本実施形態の鍵戻装置７を用いると、鍵装置１の操作を間違っても、第２操作部８を操作すればすぐにやり直すことができ、再び第１操作部３０を正しく操作すれば鍵装置１を簡単に開錠できる。
【００４９】
また、本実施形態では、固定片７０の持上片８５に対向する面が曲線状に形成されており、固定片７０と持上片８５とが、傾斜面８５ａに沿って滑る方向に対して略垂直に線接触する構造を有している。そのため、摩擦抵抗が面接触の場合に比べ少ないので、固定片７０が持上片８５上をスムーズに滑らせることで、押しボタンを操作してから本体部１０が閉位置に移動するまでのレスポンス時間を短くすることができる。
【００５０】
尚、以上本発明の一実施形態について説明したが、本発明はこの実施形態に何等限定されるものではなく、本発明の要旨を逸脱しない範囲において、種々なる態様で実施し得ることは勿論である。
【００５１】
例えば、上記実施形態では、本体部１０等を蓋部５側に設置し、留部４０を収納ボックスの本体側に設置したが、留部４０を蓋部５に設置し、本体部１０等を収納ボックスの本体側に設置してもよい。
【図面の簡単な説明】
【００５２】
【図１】第１実施形態の鍵装置の説明図で、車両のインパネの収納ボックスの蓋部に取り付けられた鍵装置の分解斜視図である。
【図２】第１実施形態の鍵装置の説明図で、車両のインパネの収納ボックスの蓋部に取り付けられた鍵装置の斜視図である。
【図３】駒部１２及び駒部１３の側面模式図である。
【図４】第１実施形態の第１操作部の模式図である。
【図５】収納ボックスの一部切取図である。
【図６】第１実施形態の鍵装置の正面模式図で、駒部の配置と本実施形態の鍵装置の動きを説明するための説明図である。
【図７】第１実施形態の鍵装置の正面模式図で、駒部の配置と本実施形態の鍵装置の動きを説明するための説明図である。
【図８】第２実施形態の鍵装置の平面図である。
【図９】第２実施形態の鍵装置が備える鍵戻装置が取り付けられた部分の拡大図であって、本体部１０の移動方向に対し垂直で、収納ボックスの蓋部５の板面に水平な方向から見た説明図で、蓋部５については断面図で示したものである。
【図１０】固定片の構造を説明するための説明図で、固定片の側面図である。
【符号の説明】
【００５３】
１…鍵装置、５…蓋部、７…鍵戻装置、８…第２操作部、１０…本体部、１０ａ…鍵片、１０ｃ…側面、１１ａ〜１１ｈ…軸部、１２ａ〜１２ｈ…駒部、１３ａ〜１３ｈ…駒部、２０…レール部、２０ａ〜２０ｄ…辺状部、２１ａ…ストッパー、３０…第１操作部、３０ａ〜３０ｈ…押しボタンスイッチ、３１…作用部、３２…ボタン部、３３…囲部、３４…バネ部、４０…留部、５０…軸部、７０…固定片、７０ａ…曲面、８１…作用部、８２…ボタン部、８３…囲部、８４…バネ部、８５…持上片、８５ａ…傾斜面、１２０…開傾斜部、１３０…閉傾斜部
【図３】
2006152777.tif 000003
【図４】
2006152777.tif 000004
【図９】
2006152777.tif 000005
【図１０】
2006152777.tif 000006
【図１】
2006152777.tif 000007
【図２】
2006152777.tif 000008
【図５】
2006152777.tif 000009
【図６】
2006152777.tif 000010
【図７】
2006152777.tif 000011
【図８】
2006152777.tif 000012